(57)【特許請求の範囲】
【請求項１】
地面など固定側に設置される基台と、この基台に取り付けられ、膜材を所定形状に展開させた状態でこの膜材を支持する支持材とを備えた風圧対策テントにおいて、
上記支持材を弾性の棒状材で構成し、弾性変形させた上記棒状材の反発力により、上記膜材に張力を付与するようにし、
上記棒状材の反発力により、その長手方向の各端部を上記基台側に形成した係止部に係止させて上記基台に上記棒状材を取り付ける一方、上記膜材に負荷された風圧により上記棒状材が弾性変形して上記係止部への上記棒状材の端部の係止が解除されるようにしたことを特徴とする風圧対策テント。
【請求項２】
上記係止部を凹形状とし、その内部空間を内底部から開口部に向かうに従い横断面積が大きくなるよう形成し、この内部空間に上記棒状材の端部を遊嵌状に嵌入して上記反発力により上記内底部に圧接させたことを特徴とする請求項１に記載の風圧対策テント。
【請求項３】
上記棒状材の長手方向の中途部におけるこの棒状材の上記端部の近傍部分に、上記膜材の外縁部を連結したことを特徴とする請求項１、もしくは２に記載の風圧対策テント。
【請求項４】
上記棒状材の長手方向の中途部におけるこの棒状材の上記端部の近傍部分に、上記膜材の外縁部を掛脱可能に掛止させて連結する掛止具を設けたことを特徴とする請求項３に記載の風圧対策テント。
【発明の詳細な説明】
【技術分野】
【０００１】
本発明は、竜巻や突風などによる強風発生時に、その風圧によりテントが全体的に飛散したり、大きく破損したりしないようにするための風圧対策テントに関するものである。
【背景技術】
【０００２】
上記風圧対策テントには、従来、下記特許文献１に示されるものがある。この公報のものによれば、風圧対策テントは、地面など固定側に設置される基台と、この基台に取り付けられ、膜材を所定形状に展開させた状態でこの膜材を支持する支持材と、上記支持材に膜材を係脱可能に弾性的に係止させて上記支持材に膜材を取り付けるフックとを備えている。
【０００３】
上記テントは、通常、バザーや運動会等のために設置される。一方、このテントの設置状態において、竜巻や突風などにより強風が発生し、この強風による風圧が上記膜材に負荷された場合には、この膜材を介し上記風圧が上記フックに与えられる。そして、上記風圧が所定値以上になると、このフックが弾性変形することにより、このフックと共に膜材が上記支持材から離脱させられる。
【０００４】
このため、強風発生時に、上記したようにフックと共に膜材が支持材から離脱させられると、地面側に設置された基台と、この基台に取り付けられた支持材とは、上記強風による風圧が膜材を介し与えられることは防止されて、元の状態のままに残される。よって、強風発生時の風圧により上記テントが全体的に飛散したり、大きく破損したりすることは防止される。
【先行技術文献】
【特許文献】
【０００５】
【特許文献１】特開２００２−１８０７０１号公報
【発明の概要】
【発明が解決しようとする課題】
【０００６】
ところで、上記従来技術では、上記膜材に対し張力は付与されていないことから、この膜材には弛みが発生しがちとなる。このため、この弛みによりテントの外観上の見栄えが阻害されるおそれを生じる。
【０００７】
また、上記従来技術では、強風発生時に支持材から膜材を離脱させるため、この膜材を支持材に係脱可能に弾性的に係止させるフックを設けている。しかし、このように膜材の離脱のためにフックを別途に設けると、このテントの部品点数が多くなって、構成が複雑になるという不都合を生じる。
【課題を解決するための手段】
【０００８】
本発明は、上記のような事情に注目してなされたもので、本発明の目的は、テントの外観上の見栄えを向上させると共に、強風発生時の風圧によりテントが全体的に飛散したり、大きく破損したりすることを防止することが簡単な構成で達成できるようにすることである。
【０００９】
請求項１の発明は、地面など固定側２に設置される基台３と、この基台３に取り付けられ、膜材４を所定形状に展開させた状態でこの膜材４を支持する支持材５とを備えた風圧対策テントにおいて、
上記支持材５を弾性の棒状材２２で構成し、弾性変形させた上記棒状材２２の反発力により、上記膜材４に張力を付与するようにし、
上記棒状材２２の反発力により、その長手方向の各端部２２ｂを上記基台３側に形成した係止部１９に係止させて上記基台２に上記棒状材２２を取り付ける一方、上記膜材４に負荷された風圧Ａにより上記棒状材２２が弾性変形して上記係止部１９への上記棒状材２２の端部２２ｂの係止が解除されるようにしたことを特徴とする風圧対策テントである。
【００１０】
請求項２の発明は、上記係止部１９を凹形状とし、その内部空間３１を内底部３１ａから開口部３１ｂに向かうに従い横断面積が大きくなるよう形成し、この内部空間３１に上記棒状材２２の端部２２ｂを遊嵌状に嵌入して上記反発力により上記内底部３１ａに圧接させたことを特徴とする請求項１に記載の風圧対策テントである。
【００１１】
請求項３の発明は、上記棒状材２２の長手方向の中途部２２ａにおけるこの棒状材２２の上記端部２２ｂの近傍部分に、上記膜材４の外縁部を連結したことを特徴とする請求項１、もしくは２に記載の風圧対策テントである。
【００１２】
請求項４の発明は、上記棒状材２２の長手方向の中途部２２ａにおけるこの棒状材２２の上記端部２２ｂの近傍部分に、上記膜材４の外縁部を掛脱可能に掛止させて連結する掛止具２５を設けたことを特徴とする請求項３に記載の風圧対策テントである。
【００１３】
なお、この項において、上記各用語に付記した符号や図面番号は、本発明の技術的範囲を後述の「実施例」の項や図面の内容に限定解釈するものではない。
【発明の効果】
【００１４】
本発明による効果は、次の如くである。
【００１５】
請求項１の発明は、地面など固定側に設置される基台と、この基台に取り付けられ、膜材を所定形状に展開させた状態でこの膜材を支持する支持材とを備えた風圧対策テントにおいて、
上記支持材を弾性の棒状材で構成し、弾性変形させた上記棒状材の反発力により、上記膜材に張力を付与するようにしている。
【００１６】
このため、上記膜材には、これに付与された張力により弛みの発生が防止される。よって、テントの外観上の見栄えが向上する。
【００１７】
また、上記棒状材の反発力により、その長手方向の各端部を上記基台側に形成した係止部に係止させて上記基台に上記棒状材を取り付ける一方、上記膜材に負荷された風圧により上記棒状材が弾性変形して上記係止部への上記棒状材の端部の係止が解除されるようにしている。
【００１８】
このため、強風発生時の風圧が上記膜材に負荷されたときには、上記係止部への上記棒状材の端部の係止が解除されて、この棒状材と共に上記膜材が上記基台から離脱させられることから、この際、上記固定側に設置された基台は、上記強風による風圧が膜材を介し与えられることは防止されて、元の状態のままに残される。よって、強風発生時の風圧により上記テントが全体的に飛散したり、大きく破損したりすることは防止される。
【００１９】
そして、上記した強風発生時におけるテントの全体的な飛散や大きい破損の防止は、前記したように膜材に張力を付与して弛みの発生を防止するための弾性の棒状材の利用により達成される。よって、上記した強風発生時におけるテントの全体的な飛散や大きい破損の防止は、上記棒状材を利用した分、簡単な構成で達成できる。
【００２０】
請求項２の発明は、上記係止部を凹形状とし、その内部空間を内底部から開口部に向かうに従い横断面積が大きくなるよう形成し、この内部空間に上記棒状材の端部を遊嵌状に嵌入して上記反発力により上記内底部に圧接させている。
【００２１】
ここで、強風発生時の風圧が上記膜材に負荷されてこの膜材が上記棒状材を伴って煽られるとき、この棒状材は、その端部が圧接する上記係止部の内部空間の内底部をほぼ中心として回動しがちとなる。この場合、上記したように、係止部の内部空間は、内底部から開口部に向かうに従い横断面積が大きくなるよう形成されているため、上記したように回動する棒状材の端部が上記内部空間の内面に当接して回動が規制されることは抑制される。
【００２２】
よって、上記したように、風圧によって上記膜材が上記棒状材を伴い大きく煽られるときには、この棒状材の端部は上記内部空間の内面に邪魔されることなく大きく回動してこの内部空間から円滑に離脱させられ、つまり、上記棒状材は基台から円滑に離脱させられる。この結果、強風発生時の風圧により上記テントが全体的に飛散したり、大きく破損したりすることは、より確実に防止される。
【００２３】
請求項３の発明は、上記棒状材の長手方向の中途部におけるこの棒状材の上記端部の近傍部分に、上記膜材の外縁部を連結している。
【００２４】
ここで、強風発生時の風圧が上記膜材に負荷されるとき、この膜材に生じる内部応力はこの膜材の外縁部に集中しがちとなる。このため、上記膜材に負荷される風圧は、この膜材の外縁部を通し逸早く上記棒状材の端部に伝達されてこの端部側の弾性変形が促進され、これにより、この棒状材の端部は逸早く上記係止部から離脱させられる。よって、強風発生時の風圧により上記テントが全体的に飛散したり、大きく破損したりすることは、更に確実に防止される。
【００２５】
請求項４の発明は、上記棒状材の長手方向の中途部におけるこの棒状材の上記端部の近傍部分に、上記膜材の外縁部を掛脱可能に掛止させて連結する掛止具を設けている。
【００２６】
このため、上記膜材と棒状材との連結や連結解除は、上記掛止具の作用によって容易にできる。よって、その分、テントの組み立て、分解作業が容易にできる。
【図面の簡単な説明】
【００２７】
【図１】図４のＩ-Ｉ線矢視部分断面図である。
【図２】風圧対策テントの平面図である。
【図３】風圧対策テントの側面図である。
【図４】図２のIV矢視部の拡大図である。
【図５】図２のV矢視部の拡大図である。
【図６】図２のVI矢視部の拡大図である。
【図７】図２のVII−VII線矢視拡大部分断面部分破断図である。
【発明を実施するための形態】
【００２８】
本発明の風圧対策テントに関し、テントの外観上の見栄えを向上させると共に、強風発生時の風圧によりテントが全体的に飛散したり、大きく破損したりすることを防止することが簡単な構成で達成できるようにする、という目的を実現するため、本発明を実施するための形態は、次の如くである。
【００２９】
即ち、風圧対策テントは、地面など固定側に設置される基台と、この基台に取り付けられ、膜材を所定形状に展開させた状態でこの膜材を支持する支持材とを備えている。上記支持材は弾性の棒状材で構成され、弾性変形させた上記棒状材の反発力により、上記膜材に張力が付与される。上記棒状材の反発力により、その長手方向の各端部が上記基台側に形成した係止部に係止させられて上記基台に上記棒状材が取り付けられる。一方、上記膜材に負荷された風圧により上記棒状材が弾性変形して上記係止部への上記棒状材の端部の係止が解除される。
【実施例】
【００３０】
本発明をより詳細に説明するために、その実施例を添付の図に従って説明する。
【００３１】
図２，３において、符号１は、風圧対策テントである。なお、説明の便宜上、
図中矢印Ｆｒの方向を前方とし、この前方に直交する水平方向を左右方向として以下説明する。
【００３２】
上記テント１は、屋外において、地面や建造物など固定側２に設置される基台３と、この基台３の上端部に取り付けられ、膜材４を所定の屋根形状に展開させた状態でこの膜材４を支持する支持材５とを備えている。
【００３３】
上記基台３は、上記固定側２上に立設されるそれぞれ左右一対の前、後部柱材９，１０と、テント１の左、右各側部においてそれぞれ前、後方向に延び、前、後部柱材９，１０に架設される側部梁材１１，１１と、左右方向に延びて上記左、右側部梁材１１，１１に架設される前、後部梁材１２，１３および中間部梁材１４と、前後方向に延び、これら前、後部梁材１２，１３および中間部梁材１４のそれぞれ長手方向の中央部に架設される中央部梁材１５とを有している。
【００３４】
上記基台３の前、後部梁材１２，１３および中間部梁材１４のそれぞれ長手方向の各端部はそれぞれ片持ち状に突設される。上記各端部の上面には、上記支持材５を支持するための支持体１７が締結具１８により取り付けられ、上記支持体１７に係止部１９が形成される。上記支持体１７の材質は、繊維強化プラスチック（ＦＲＰ）製や、ポリプロピレンなどの樹脂製が利用可能である。
【００３５】
上記膜材４は、ケナフ繊維等の天然繊維、ポリエステル繊維等の合成繊維、もしくはガラス繊維等の無機繊維等により形成される織物や編物である基材と、この基材の表裏の各外面に被覆（コーティング）されるポリ塩化ビニル（ＰＶＣ）やフッ素樹脂など熱可塑性樹脂材製の外面材（コーティング材）とを備えている。なお、上記膜材４の外面には、汚れ防止のための光触媒層等を設けていてもよいし、もしくは、上記膜材４の外面層を、この外面層における熱可塑性樹脂に光触媒粒子を含有させることにより光触媒層としてもよい。また、上記膜材４は、上記コーティングを備えない上記織物や編物のみであってもよい。
【００３６】
上記支持材５は、それぞれ左右方向に延びる複数本（三本）の前、後、中途部棒状材２２で構成される。具体的には、各棒状材２２は、断面円形のパイプであって、その自由状態では直線的に延びる形状をなし、外力が付与されることにより、弾性的に円弧状に屈曲可能とされる。また、その材質は炭素繊維強化プラスチック、ガラス繊維強化プラスチック、その他、ポリプロピレンなど樹脂製が利用可能である。
【００３７】
上記膜材４には、その前、後外縁部に沿ってそれぞれ袋縫部４ａが形成され、これら各袋縫部４ａに上記前、後部棒状材２２のそれぞれ長手方向の中途部２２ａが挿入される。また、上記膜材４の前後方向の中央部には、左右方向に長く延びる他の袋縫部４ｂが形成され、この袋縫部４ｂ２に上記中途部棒状材２２の長手方向の中途部２２ａが挿入される。
【００３８】
上記各棒状材２２の長手方向の各端部２２ｂは、上記中途部２２ａの長手方向の各端部に嵌脱可能に嵌着されている。上記各棒状材２２の上記端部２２ｂの近傍部分に上記膜材４の左、右外縁部をそれぞれ掛脱可能に掛止させて連結する掛止具２５が設けられる。この掛止具２５は、上記各棒状材２２の上記端部２２ｂの近傍部分に一体的に突設される掛止フック２５ａと、上記膜材４の左、右外縁部にそれぞれ突設され、上記各掛止フック２５ａに掛止される掛止環２５ｂとを有している。なお、上記各棒状材２２は、上記中途部２２ａと各端部２２ｂとを一体的に形成したものであってもよい。
【００３９】
そして、上記各袋縫部４ａ，４ｂと掛止具２５とにより、上記支持材５の各棒状材２２に上記膜材４が全体的に取り付けられている。
【００４０】
上記支持材５の各棒状材２２は、上方に凸の円弧形状となるよう弾性的に屈曲させられ、この状態で、その長手方向の各端部２２ｂがそれぞれ上記係止部１９に係脱可能に係止される。
【００４１】
また、上記前、後部棒状材２２，２２のそれぞれ長手方向の中央部と前、後部梁材１２，１３のそれぞれ長手方向の中央部との間に、ステー２８が着脱可能に介設される。これにより、テント１の平面視（図２）で、上記前、後部棒状材２２，２２は、前、後方に凸の円弧形状となるよう弾性的に屈曲させられる。上記ステー２８は、直線的に延びる円形パイプ形状のステー本体２９と、このステー本体２９の各端部に嵌着され、上記基台３側と棒状材２２とにそれぞれ係脱可能に係合するＵ字形状で樹脂製の一対の係合部３０，３０とを有している。
【００４２】
上記弾性変形させられた各棒状材２２の反発力により、上記膜材４の各部に全体的に張力が付与されて弛みの発生が防止され、かつ、膜材４が所定の屋根形状に保形される。また、上記各棒状材２２の反発力により、これら各棒状材２２の各端部２２ｂは、上記基台３側である支持体１７に形成された係止部１９に弾性的に係止されて、上記支持材５の各棒状材２２が膜材４と共に上記基台３に支持される。
【００４３】
上記係止部１９は凹形状とされ、この係止部１９の側面断面視（図１）で、その内部空間３１は、内底部３１ａから開口部３１ｂに向かうに従い各部横断面積が漸次大きくなるよう形成される。また、上記係止部１９の平面視（図４，５）で、その内部空間３１は、内底部３１ａから開口部３１ｂに向かっての各部幅寸法がほぼ均一となるよう形成され、かつ、上記内部空間３１の各内側面は上記棒状材２２の端部２２ｂ側面に近接するよう形成される。そして、上記棒状材２２の端部２２ｂは上記内部空間３１に上下方向で遊嵌状に嵌入され、上記内底部３１ａに圧接させられてこの内部空間３１に係止させられる。なお、上記係止部１９の平面視で、その内部空間３１が、内底部３１ａから開口部３１ｂに向かうに従い各部幅寸法が漸次大きくなるようにしてもよい。
【００４４】
上記テント１は、通常、バザーや運動会等のために設置される。一方、このテント１の設置状態において、竜巻や突風などにより強風が発生し、この強風の風圧Ａが上記膜材４に負荷された場合には、この膜材４を介し上記風圧Ａが上記支持材５の各棒状材２２に与えられる。この際、上記風圧Ａにより上記棒状材２２の屈曲半径の寸法が変動するよう弾性変形すれば、上記各棒状材２２の端部２２ｂ側は、この端部２２ｂが圧接する上記係止部１９の内部空間３１の内底部３１ａをほぼ中心として、この内部空間３１内で上下に回動Ｂする（図１中一点鎖線）。
【００４５】
そして、上記棒状材２２に与えられる風圧Ａが所定値以上になると、上記棒状材２２は、小さい屈曲半径の円弧形状となるよう弾性変形して、上記係止部１９への上記棒状材２２の端部２２ｂの係止が解除され、上記棒状材２２と共に膜材４は上記基台３から離脱させられる（図１中二点鎖線）。
【００４６】
上記構成によれば、支持材５を弾性の棒状材２２で構成し、弾性変形させた上記棒状材２２の反発力により、膜材４に張力を付与するようにしている。
【００４７】
このため、上記膜材４には、これに付与された張力により弛みの発生が防止される。よって、テント１の外観上の見栄えが向上する。
【００４８】
また、上記棒状材２２の反発力により、その長手方向の各端部２２ｂを上記基台３側に形成した係止部１９に係止させて上記基台２に上記棒状材２２を取り付ける一方、上記膜材４に負荷された風圧Ａにより上記棒状材２２が弾性変形して上記係止部１９への上記棒状材２２の端部２２ｂの係止が解除されるようにしている。
【００４９】
このため、強風発生時の風圧Ａが上記膜材４に負荷されたときには、上記係止部１９への上記棒状材２２の端部２２ｂの係止が解除されて、この棒状材２２と共に上記膜材４が上記基台３から離脱させられることから、この際、上記固定側２に設置された基台３は、上記強風による風圧が膜材４を介し与えられることは防止されて、元の状態のままに残される。よって、強風発生時の風圧Ａにより上記テント１が全体的に飛散したり、大きく破損したりすることは防止される。
【００５０】
そして、上記した強風発生時におけるテント１の全体的な飛散や大きい破損の防止は、前記したように膜材４に張力を付与して弛みの発生を防止するための弾性の棒状材２２の利用により達成される。よって、上記した強風発生時におけるテント１の全体的な飛散や大きい破損の防止は、上記棒状材２２を利用した分、簡単な構成で達成できる。
【００５１】
また、前記したように、上記係止部１９を凹形状とし、その内部空間３１を内底部３１ａから開口部３１ｂに向かうに従い横断面積が大きくなるよう形成し、この内部空間３１に上記棒状材２２の端部２２ｂを遊嵌状に嵌入して上記反発力により上記内底部３１ａに圧接させている。
【００５２】
ここで、強風発生時の風圧Ａが上記膜材４に負荷されてこの膜材４が上記棒状材２２を伴って煽られるとき、この棒状材２２は、その端部２２ｂが圧接する上記係止部１９の内部空間３１の内底部３１ａをほぼ中心として上下方向に回動Ｂ（図１）しがちとなる。この場合、上記したように、係止部１９の内部空間３１は、その側面断面視（図１）で、内底部３１ａから開口部３１ｂに向かうに従い横断面積が大きくなるよう形成されているため、上記したように回動Ｂする棒状材２２の端部２２ｂが上記内部空間３１の内面に当接して回動Ｂが規制されることは抑制される。
【００５３】
よって、上記したように、風圧Ａによって上記膜材４が上記棒状材２２を伴い大きく煽られるときには、この棒状材２２の端部２２ｂは上記内部空間３１の内面に邪魔されることなく大きく回動Ｂしてこの内部空間３１から円滑に離脱させられ、つまり、上記棒状材２２は基台３から円滑に離脱させられる。この結果、強風発生時の風圧Ａにより上記テント１が全体的に飛散したり、大きく破損したりすることは、より確実に防止される。
【００５４】
一方、前記したように、係止部１９の内部空間３１は、その平面視（図４，５）で、内底部３１ａから開口部３１ｂに向かっての各部幅寸法がほぼ均一となるよう形成され、かつ、上記内部空間３１の各内側面は上記棒状材２２の端部２２ｂ側面にに近接させられている。また、前記したように棒状材２２の端部２２ｂは上記内部空間３１の内底部３１ａに圧接させられていて、この内底部３１ａからの反力は上記棒状材２２の軸方向に与えられる。
【００５５】
このため、上記棒状材２２の端部２２ｂは、上記内部空間３１に対し水平方向でがたつくことが防止される。
【００５６】
よって、強風発生時の風圧Ａが上記膜材４の面方向に負荷されて、上記基台３に対し上記膜材４がその面方向（水平方向）に上記棒状材２２を伴い移動しようとしても、この棒状材２２が上記内部空間３１内で移動しようとすることは抑制され、膜材４は棒状材２２と共に上記基台３に対し所定位置に保持される。
【００５７】
つまり、上記風圧Ａが膜材４の厚さ方向に負荷されることに比べ、上記風圧Ａが上記膜材４の面方向に負荷されるときには、この膜材４に付与される外力は小さくなりがちである。そこで、この場合には、基台３から膜材４が棒状材２２と共に離脱しないようにして、テント１を全体的に所定形状に保持することとされている。
【００５８】
また、前記したように、棒状材２２の長手方向の中途部２２ａにおけるこの棒状材２２の上記端部２２ｂの近傍部分に、膜材４の外縁部を連結している。
【００５９】
ここで、強風発生時の風圧Ａが上記膜材４に負荷されるとき、この膜材４に生じる内部応力はこの膜材４の外縁部に集中しがちとなる。このため、上記膜材４に負荷される風圧Ａは、この膜材４の外縁部を通し逸早く上記棒状材２２の端部２２ｂに伝達されてこの端部２２ｂ側の弾性変形が促進され、これにより、この棒状材２２の端部２２ｂは逸早く上記係止部１９の内部空間３１から離脱させられる。よって、強風発生時の風圧Ａにより上記テント１が全体的に飛散したり、大きく破損したりすることは、更に確実に防止される。
【００６０】
また、前記したように、棒状材２２の長手方向の中途部２２ａにおけるこの棒状材２２の端部２２ｂの近傍部分に、膜材４の外縁部を掛脱可能に掛止させて連結する掛止具２５を設けている。
【００６１】
このため、上記膜材４と棒状材２２との連結や連結解除は、上記掛止具２５の作用によって容易にできる。よって、その分、テント１の組み立て、分解作業が容易にできる。
【符号の説明】
【００６２】
１    テント
２    固定側
３    基台
４    膜材
４ａ  袋縫部
４ｂ  袋縫部
５    支持材
１７  支持体
１８  締結具
１９  係止部
２２  棒状材
２２ａ  中途部
２２ｂ  端部
２５  掛止具
２５ａ  掛止フック
２５ｂ  掛止環
２８  ステー
３１  内部空間
３１ａ  内底部
３１ｂ  開口部
Ａ    風圧
Ｂ    回動
【図１】
0006408367.tif 000002
【図２】
0006408367.tif 000003
【図３】
0006408367.tif 000004
【図４】
0006408367.tif 000005
【図５】
0006408367.tif 000006
【図６】
0006408367.tif 000007
【図７】
0006408367.tif 000008